Podtech/llm-jp-corpus-v4-ja_patent huggingface dataset:
(57)【要約】      （修正有）【課題】柔軟性素材製カバンのカバン底部の硬度が強化され、汚れにくいカバンの底部構造を提供する。【解決手段】カバン本体の底部の内側に設けられた内板１と底部の外側に設けられた外板２とでカバン底部を挟持して内板１と底部及び外板２を一体固定する固定手段と、外板２に設けられた桁足部３とで構成することにより、カバンを地面等へ直に置いても水や土砂等の汚れの付着を防止することができる。【選択図】図１
0003191855.tif 000002
【実用新案登録請求の範囲】
【請求項１】
カバン本体の底部の内側に設けられた内板と前記底部の外側に設けられた外板とで前記底部を挟持して前記内板、前記底部及び前記外板を一体固定する固定手段と、前記外板に設けられた桁足部とで構成したことを特徴とするカバンの底部構造。
【請求項２】
固定手段は、カバン本体の底部と内板、外板に各相互に対応する複数の貫通孔を設け、前記内板と前記外板の貫通孔にはハトメで補強し、前記内板の貫通孔、カバン本体の底部に設けられた貫通孔及び外板に設けられた貫通孔を一体固定するネジと、前記ネジ近傍からカバン本体内部への侵水防止手段とで構成したことを特徴とする請求項１記載のカバンの底部構造。
【請求項３】
固定手段は、カバン本体の底部を内板及び外板で挟持して接着一体固定したことを特徴とする請求項１記載のカバンの底部構造。
【請求項４】
カバン本体内部の内板の上面に柔軟素材の敷板を設けたことを特徴とする請求項１〜３のいずれか１項に記載のカバンの底部構造。
【考案の詳細な説明】
【技術分野】
【０００１】  本考案は柔軟性素材製カバンの汚れにくい底部構造に関するものである。
【背景技術】
【０００２】  柔軟素材製カバンを直接地面等に置いた場合カバン底部が水に濡れ、土砂等の汚れが付着していた。
【先行技術文献】
【特許文献】
【０００３】
【特許文献１】公開実用新案公報  昭６２−１５５６２２
【特許文献２】実用新案登録第３０３９７５１号公報
【考案の概要】
【考案が解決しようとする課題】
【０００４】  布や合成皮革及び化繊等の柔軟素材製カバンを直接地面等に置いた場合カバンの内に入れる物の重量で素材がたわみ、カバン底部が水に濡れ、土砂等の汚れが付着し易く、度重なると汚れが固着してしまう。先行技術としてカバン底部の両端部を支持する突起部を有するものや、ネジでカバン底部と支持部とを挟持して一体化させたものもあるが、いずれも柔軟性素材のカバン底中央部の下方へのたわみに対し有効でなく、浸水対策をしていない。
【課題を解決するための手段】
【０００５】  本考案はカバン本体の底部の内側に設けられた内板と底部の外側に設けられた外板とでカバン底部を挟持して内板、カバン底部、及び外板を一体固定する固定手段と、外板に設けられた桁足部とで構成したカバンの底部構造により課題を解決する。
【考案の効果】
【０００６】  本考案の実施により次の効果が得られる。
１．柔軟素材のカバン本体の底部を内板と外板で上下から挟持することによりカバン底部の硬度が強化されカバン内部へ入れる物の重量によるカバン底のたわみや変形が防止できる。
２．カバン底部の外板に設置された桁足部により地面に直接接触することなく水や土砂の付着を防止できる。
【図面の簡単な説明】
【０００７】
【図１】本考案の一実施における斜視図
【図２】図１の断面図
【図３】図１のカバン底部を内板と外板で挟持する固定手段の断面図
【考案を実施するための形態】
【０００８】  カバン本体の底部の内側に設けられた内板と底部の外側に設けられた外板とでカバン底部を挟持して内板、カバン底部及び外板を一体固定する固定手段と、外板に設けられた桁足部とで構成したものである。
【実施例】
【０００９】  以下添付図面に従って一実施例を説明する。内板１と外板２の貫通孔４の上部にハトメ５を設置し、ネジ６により一体固定するものである。【００１０】  柔軟性素材のカバンの中に入れる物の重量でのカバン底部９のたわみ防止対策としても内板１と外板２の素材はプラスチック樹脂や合板等硬質素材を用いるものとする。【００１１】カバン内への浸水防止手段として内板１、カバン底部９及び外板２の貫通孔４にネジ６で一体固定する場合、カバン底部９と外板２の間に防水シールを目的としたゴムやコルク素材等のパッキン７を設けたものである。防水シールとしてはＯリング等を用いても良い。【００１２】  外板２に配置する桁足部３のリブ高さは１５〜２５ミリ、巾は６ミリ以下が望ましい。【００１３】  図１において桁足部３の本数は３列である。３列にすることでカバンを地面に置いたときカバン底の水平を安定して支えられる。又、カバンの大きさに応じて列数を増減しても良い。【００１４】  図１において桁足部３はカバンの底９を緩やかに曲げられるように長さ方向で複数に分割しているが、カバン底部９の長尺に合わせた一本物にしても良い。【００１５】  カバンの内底部に敷く敷板８はカバンに入れる物の傷を防止することが目的のためゴム製等クッション材が望ましい。【００１６】  前記実施例においてはネジを用いた実施例を示したが、固定手段としてはカバン本体の底部９を内板１及び外板２で挟持し、接着剤を用い又は溶着により接着して一体固定することにより前記実施例と同様の機能と効果を得る事ができるものである。
【符号の説明】
【００１７】１  内板
２  外板
３  桁足部
４  貫通孔
５  ハトメ
６  ネジ
７  パッキン
８  敷板
９  カバン底部
【図１】
0003191855.tif 000003
【図２】
0003191855.tif 000004
【図３】
0003191855.tif 000005
(57)【要約】      （修正有）【課題】保管・管理及び取り扱いを簡素化し且つ軽量化した、建築物の柱脚部材を基礎コンクリート上に屹立固設する際に使用する芯出し治具を提供する。【解決手段】芯出し治具は、少なくとも治具本体１にテーパー内径面６と、このテーパー内径面６に連接して締付ナットの座面５を削成することにより、治具本体１の上部に陥凹部を形成したことを特徴とする。【選択図】図２
0003193768.tif 000002
【実用新案登録請求の範囲】
【請求項１】
建築物の柱脚部材を基礎コンクリート上に固設する際に用いる芯出し治具において、少なくとも治具本体１にテーパー内径面６と、このテーパー内径面６に連接して締付ナットの座面５を削成することにより、該治具本体１の上部に陥凹部を形成したことを特徴とするアンカーボルトの芯出し治具。
【考案の詳細な説明】
【技術分野】
【０００１】  この考案は建築物の柱脚部材を基礎コンクリート上に載置固定する際に該柱脚部材が傾斜して取り付けられるのを防止するために採用されるアンカーボルト芯出し治具の改良に関するものである。
【背景技術】
【０００２】  上述した芯出し治具とその取り扱い方については、本件出願人が先に出願した特願平８−８８７４５号公報で既に明示している。即ち、図１に示す如く基礎コンクリートＡに埋設された数本のアンカーボルトＢに対し、柱脚部材Ｃに設けたベースプレートＤの各取付穴Ｅを臨ませ、締付ナットＦを螺合して柱脚部材Ｃを基礎コンクリートＡ上に固設するにあたり、ナットＦで固定する前に、予め少なく共２個以上の芯出し治具本体Ｇを所定のアンカーボルトＢに挿通させておき、これをナットＦで徐々に締付してゆく。かくして治具本体Ｇの外径テーパー面Ｇ１がベースプレートＤの取付穴Ｅに圧接しながら嵌入してゆくので、テーパー面の求心作用により各アンカーボルトＢはベースプレートＤの取付穴Ｅに大略均等な隙間をもって挿通し、芯出し調整が行われて、柱脚部材Ｃは直立状態に維持され、同時に治具本体Ｇを介して柱脚部材Ｃは仮止めされる。そして、仮止め後は、残りのアンカーボルトＢに直接ナットＦを螺合して締付け、次いで上記治具本体Ｇを取り外して、これにナットＦを螺合固設すれば、柱脚部材Ｃは基礎コンクリートＡ上に屹立固定されるものである。
【考案の概要】
【考案が解決しようとする課題】
【０００３】  上述した従来の芯出し治具においては、芯出し機能自体に何ら問題点は見当たらないものの、保管上、取り扱い上および重量面でマイナス面があった。【０００４】  即ち、具体的には上記芯出し治具本体Ｇにあっては、各作業現場毎に繰り返し使用されるものであることと、アンカーボルトのねじサイズ毎（５〜６種類）によって多種にわたり多数準備する必要があること等が相まって大小の治具本体が入り混じってしまい、著しく使い勝手が悪いばかりでなく工事現場での保管・管理に煩わしさを伴っている。又、数が増すと重量面でもその持ち運びに不便を被っていた。
【課題を解決するための手段】
【０００５】  本考案は上記芯出し治具を改良して、上述した不具合を解消せんとしたもので、建築物の基礎コンクリート上に柱脚部材を立設する際に用いられる芯出し治具において、図２に示す如く該芯出し治具本体１の外径部分は、テーパー部２と、このテーパー部２に連接する大径の真円頭部３により構成し、内径部分にはアンカーボルトの外径が適宜遊嵌するサイズに穿設した真円部４と、この真円部に続きアンカーボルトに螺合するナットの密着座面５とこの座面５に連接して末広がりの内径テーパー面６を持つ陥凹部を形成した芯出し治具本体１を提供するものである。
【考案の効果】
【０００６】  上述した本考案に係る芯出し治具によれば、例えばアンカーボルトのサイズがＭ３０の場合、治具本体１の各部の寸法関係を次の如く構成して作製する。先ず、外径テーパー部２の長さＬ１と内径真円部４の長さｌ１を約１２ｍｍ程度で同じ長さとし、全長Ｌ２をｌ１、Ｌ１の約倍の２２〜２４ｍｍ程度の長さとし、且つ真円頭部３の直径ｄ１を５５ｍｍ、真円内径４の直径ｄ２を３５ｍｍに削成すると共に座面５の外縁部直径ｄ３を４６ｍｍ程度に形成する。【０００７】  而して、本考案に係る治具本体１の重量は、在来品の半分近くで約１５０グラム（鋼製）前後に収められ、著しく軽量化したものとなる。又、本考案によれば、図３の如く治具本体１を１０個積み重ねても、長さ２００ｍｍ、太さ５７ｍｍ程度の軟質で半透明な樹脂製又は紙製の筒状収納ケース７に収納可能で、その保管・管理や持ち運びは至極便利となるばかりでなく紛失の恐れなく、実用的価値大なるものがある。
【図面の簡単な説明】
【０００８】
【図１】  従来の芯出し治具の使用態様を示す斜視図である。
【図２】  本考案に係る芯出し治具を示す図で〈イ〉は斜視図、（ロ）は一部縦断正面図である。
【図３】  本考案に係る芯出し治具の収納例を示す正面図である。
【考案を実施するための形態】
【０００９】  本考案の実施形態は、前述した従来例と変わる事がないので、その説明は省略する。
【実施例１】
【００１０】  上述例において、本考案に係る治具本体１のサイズをＭ３０用に限定して説明したが、他のサイズのアンカーボルトであっても要旨を逸脱することなく、寸法関係を任意適当に選定して製作すれば良い。又、治具本体１の材質はスチール製のものを例にとって説明したが、硬質樹脂製であっても良く、こうした樹脂製にすれば一段と軽量化が達成される。
【産業上の利用可能性】
【００１１】  本考案は芯出し治具本体の頭部に陥凹部を形成したことにより、その重量面、保管・管理面および取り扱い上従来に比し格段と有意義なものとなり、実用的価値大なるものがある。
【符号の説明】
【００１２】１・・・・治具本体
２・・・・外径テーパー部
３・・・・真円頭部
４・・・・内径真円部
５・・・・座面
６・・・・内径テーパー面
７・・・・収納ケース
Ｌ１・・・外径テーパー部長さ
ｌ１・・・内径真円部長さ
Ｌ２・・・全長
ｄ１・・・真円頭部外径
ｄ２・・・真円頭部内径
ｄ３・・・座部外縁直径
Ａ・・・・基礎コンクリート
Ｂ・・・・アンカーボルト
Ｃ・・・・柱脚部材
Ｄ・・・・ベースプレート
Ｅ・・・・取付穴
Ｆ・・・・ナット
Ｇ・・・・従来の治具本体
【図１】
0003193768.tif 000003
【図２】
0003193768.tif 000004
【図３】
0003193768.tif 000005
(57)【要約】      （修正有）【課題】表層がホログラム絵柄面であるアルミマイクロ粒子含有紫外線硬化樹脂、中間層が接着機能層、及び基材シートで構成された高反射ホログラムシートを提供する。【解決手段】接着機能層２を有する基材シート１上に、アルミマイクロ粒子含有紫外線硬化樹脂（液体）３をコートし、次いで転写用ホログラム絵柄フィルム５を圧着しつつ紫外線照射をし、硬化完了後転写用ホログラム絵柄フィルムを剥がせば、ホログラム絵柄面４を有する。【選択図】図２
0003193800.tif 000002
【実用新案登録請求の範囲】
【請求項１】
表層がホログラム絵柄面であるアルミマイクロ粒子含有紫外線硬化樹脂、中間層が接着機能層、及び基材シートよりなる、高反射ホログラムシート。
【考案の詳細な説明】
【技術分野】
【０００１】  本考案は反射率の高いホログラムシートに関するものであり、クリアーファイル、自動販売機の看板、案内表示板、クレジットカード、キャッシュカード、本の表紙等への利用が考えられる。
【背景技術】
【０００２】  従来、反射率の高いホログラムシートは基材シート上に紫外線硬化樹脂（液体）をコートし、次いで転写用ホログラム絵柄フィルムを圧着しつつ紫外線を照射し、（紫外線照射により紫外線硬化樹脂は硬化する。）その後転写用ホログラム絵柄フィルムを剥がせば、ホログラムシートが得られる。得られたホログラムシートを高い反射率を持たせるため、アルミの真空蒸着を行っている。紫外線硬化樹脂にアルミの真空蒸着を行う為、アルミ蒸着層がはがれ易く、耐久性に問題があった。
【先行技術文献】
【特許文献】
【０００３】
【特許文献１】  特開昭６１−２７２７７２
【特許文献２】  実開昭６０−６１７３
【考案の概要】
【考案が解決しようとする課題】
【０００４】  従来の高反射ホログラムシートは、基材シート上に表層がホログラム絵柄面である紫外線硬化樹脂が積層されたシートが製造され、その後真空蒸着メーカーにてアルミ蒸着を実施し、最終製品が出来上がるという２工程であり、ホログラムシートメーカーとアルミ蒸着メーカーが異なる企業であるため、余分なアルミ蒸着費用、更には他工程への包装、物流費用と無駄な時間が発生している。またアルミ蒸着層の耐久性に問題があった。
【課題を解決するための手段】
【０００５】  表層がホログラム絵柄面であるアルミマイクロ粒子含有紫外線硬化樹脂、中間層が接着機能層、及び基材シートで構成される、高反射ホログラムシートである。
【考案の効果】
【０００６】  従来の高反射ホログラムシートでは、アルミ蒸着により高反射性を付与していたが、本考案ではアルミ蒸着という工程を省略し、表層がホログラム絵柄面であるアルミマイクロ粒子含有紫外線硬化樹脂、中間層が接着機能層、及び基材シートで構成されたものである高反射ホログラムシートが得られる。
【図面の簡単な説明】
【０００７】
【図１】本考案の断面構造図である。
【図２】本考案シート作成途中の転写用ホログラム絵柄フィルムが圧着されている半製品状態の断面図である。
【考案を実施するための形態】
【０００８】  接着機能層を有する基材シート上に、アルミマイクロ粒子含有紫外線硬化樹脂（液体）をコートし、次いで転写用ホログラム絵柄フィルムを圧着しつつ紫外線を照射し、（紫外線照射によりアルミマイクロ粒子含有紫外線硬化樹脂が硬化する。）その後転写用ホログラム絵柄フィルムを剥がせば、高反射ホログラムシートが得られる。
【実施例】
【０００９】  以下、添付図面２に従がって一実施例を説明する。片面に接着機能層２を有する基材シート１があり、この基材シート上にアルミマイクロ粒子含有紫外線硬化樹脂（液体）３をコートし、次いで転写用ホログラム絵柄フィルム５を圧着しつつ、紫外線ランプにより紫外線を照射する。アルミマイクロ粒子含有紫外線硬化樹脂の硬化完了後、転写用ホログラム絵柄フィルムを剥がすと、ホログラム絵柄面４を有する本考案の高反射ホログラムシートが得られる。
基材シート１の材質としては、ポリエチレン、ポリプロピレン、ポリスチレン、ポリ塩化ビニル、酢酸ビニル、ポリエチレンテレフタレート、ポリアミド、ポリウレタン等の熱可塑性プラスチックの他、紙、布、金属箔等がある。
接着機能層２は基材シートが熱可塑性プラスチックシートの場合は、シート製造時に、シート表面をコロナ放電処理することにより形成される。また基材シートが紙、布、金属箔等の場合は、一般的なコーティング法で接着剤をコートすることにより接着機能層が形成される。
【符号の説明】
【００１０】    １  基材シート
２  接着機能層
３  アルミマイクロ粒子含有紫外線硬化樹脂
４  ホログラム絵柄面
５  転写用ホログラム絵柄フィルム
【図１】
0003193800.tif 000003
【図２】
0003193800.tif 000004
(57)【要約】      （修正有）【課題】サイドミラーの位置やドアの形状によらず共用可能な取り替え交換できるフロントカバーを提供する。【解決手段】フロントカバー本体１の両端に長さ調節可能な紐２を有し、サイドミラー３に固定する。フロントカバー本体とシート部分４にスナップボタン５を取り付け、シート部分の取り替え交換を可能とした。また、フロントカバー本体の内側に３本の骨材を設け、車内の運転席と助手席にある固定サンバイザーに取り付けた紐とフロントカバー本体をクリップで固定することにより、車内設置も可能とした。【選択図】図１
0003193794.tif 000002
【実用新案登録請求の範囲】
【請求項１】
フロントカバー本体とカバーに取り付けられたスナップボタンにより、カバーの着脱自在を特徴とするフロントカバー。
【請求項２】
両端に長さ調節可能な紐を有し、サイドミラーの位置にとらわれず装着可能とした請求項１に記載のフロントカバー。
【請求項３】
運転席と助手席の固定サンバイザーとフロントカバー本体をクリップでとめることにより、車内外兼用を可能とした請求項１に記載のフロントカバー。
【考案の詳細な説明】
【技術分野】
【０００１】  本考案は、炎天下の車の室内温度上昇を軽減するための日除けカバーに関する。
【背景技術】
【０００２】  フロントカバーの設置方法として、カバーの両端をドア内にはさむ方法として、例えば特許文献１に示される技術がある。
【先行技術文献】
【特許文献】
【０００３】
【特許文献１】特開２０１０−１６３１５０号
【考案の概要】
【考案が解決しようとする課題】
【０００４】  フロントカバーの両端をドア内にはさむ方法の特許文献１では、自動ドアなど車種ごとに違いがあり共用が難しい。【０００５】  本考案の目的は、車のドアの形状にとらわれることなく且つ、汚れや色褪せ時に取り替えることが出来るフロントカバーを提供することにある。
【課題を解決するための手段】
【０００６】  本考案のフロントカバーは、フロントカバー本体の両端に長さ調節可能な紐を有し、サイドミラーにかけてサイドミラーを内側に倒し、強風ではずれないように装着し汚れた時はフロントカバー本体に取付けたスナップボタンでカバーを着脱自在とし、運転席と助手席にある固定のサンバイザーに紐を取り付け、フロントカバー本体とクリップで固定することにより車内外兼用を可能としたフロントカバー。
【考案の効果】
【０００７】  本考案は、フロントカバーの両端の紐が調節可能な状態であり、サイドミラーの位置やドアの形状にとらわれず装着できる。また、汚れた時や色褪せた時にスナップボタンを有したフロントカバー本体からカバー部分を取り替え交換可能とした。運転席と助手席の固定サンバイザーとフロントカバー本体をクリップで固定することにより、炎天下は外付けを曇りの時は車内と兼用ができる新しいフロントカバーである。
【図面の簡単な説明】
【０００８】
【図１】本考案を実施するための最良の第１の形態のフロントカバーの正面図である。
【図２】フロントカバー本体の裏側の図である。
【図３】フロントカバーを車内に取り付けた時の設置図である。
【図１】
0003193794.tif 000003
【図２】
0003193794.tif 000004
【図３】
0003193794.tif 000005
(57)【要約】      （修正有）【課題】利用者が装飾タイルの装着対象物からの意図的な取り外し、再装着を容易に行えるようにした装飾タイル装着システムを提供する。【解決手段】装飾タイル１０裏面に、ボルト又はシャフト１の付いたプレート２を取り付け、当該装飾タイル１０の装着対象物２０に設けた単数又は複数の貫通穴へ、当該装飾タイル１０裏面にある単数又は複数のボルト又はシャフト１を差し込み、ナット等留め具５を用い固定する。【選択図】図２
0003193737.tif 000002
【実用新案登録請求の範囲】
【請求項１】
装飾タイル裏面に、ボルト又はシャフト等の付いたプレート部品を接着、又は分離しないように取り付け、屋内装飾及び屋外装飾、並びに宣伝、広告等の表示物に関する装着対象物に設けた単数又は複数の貫通穴へ、当該装飾タイル裏面にある単数又は複数のボルト又はシャフト等を差し込み、ナット等留め具で固定する、装飾タイル装着システム。
【請求項２】
前項の装飾タイル装着システムにおいて、装飾タイルに接着された、又は分離しないように取り付けられたプレート部品のボルト又はシャフト等が突き出ている面、及び装飾タイル側面に、緩衝材を備えた、装飾タイル装着システム。
【考案の詳細な説明】
【技術分野】
【０００１】本考案は、装飾タイルの装着システムに関するものであり、装飾タイルにプレート部品を取り付けることで、利用者が当該装飾タイルの装着対象物からの意図的な取り外し、再装着を容易に行えるようにしたものである。
【背景技術】
【０００２】タイルは、耐水性、防汚性、耐火性等の機能から、構築物の保護材に利用されるが、表面に絵柄を施すことが出来るため、多種多様な組合せによって室内装飾、屋外装飾仕上げ材としての役割もある。保護材であり装飾材でもある役割の重点は、各々利用箇所によって異なる。施工方法は多くが保護材の機能面からの施工方法に準じており、タイルの製造方法、施工方法の合理化が着目される。一方、装飾面に重点を置いた使用方法は、装着対象物に直接接着、又は凹みを設け接着、又は額縁の木枠等によって固定する方法等が取られている。
【先行技術文献】
【０００３】
【非特許文献】
【非特許文献】柴▲辻▼政洋・山内史郎共著、「建築用セラミックタイルの知識」鹿島出版会、１９８５年６月１０日発行、Ｐ１８７〜Ｐ２０１
【考案の概要】
【考案が解決しようとする課題】
【０００４】しかし、従来の固定方法では、連結したタイル、又は形状の異なるタイルを枠又は蓋を設けず固定し、取り外す際も損傷無く行い、容易に再装着することが困難であり、装飾材としての利用において不便であり、結果、装飾材に重点を置いた用途が限られている。
【課題を解決するための手段】
【０００５】そこで、ボルト又はシャフト等の付いたプレート部品を装飾タイルの裏面に接着し、又は分離しないように取り付け、装着対象物に設けた単数又は複数の貫通穴へ、当該装飾タイル裏面にある単数又は複数のボルト又はシャフト等を差し込み、螺子止め等によって固定することが出来るシステムを考案した。
【考案の効果】
【０００６】よって、本考案の装飾タイル装着システムによって、装着したタイルの多種多様な素材色、絵柄の変更、位置変更を容易に行うことが出来る。また、屋内装飾及び屋外装飾、並びに宣伝、広告等の表示物に関する装着対象物に、パンチングメタル等、穴加工のある金属板又はプラスチック板等を使うことで、当該装飾タイルを、縦、横、斜め、自在に組合せ、装着対象物全体の装飾性及び広告性を増すことが出来る。更に、装飾タイルの裏面にプレート部品を接着することで、各装飾タイルの割れ防止にもなり、装飾に関連する用途増加に繋がる。
【図面の簡単な説明】
【０００７】
【図１】装飾タイルを装着対象物に設置するために、装飾タイルに取り付けるプレート部品の断面図である。
【図２】装着対象物に設置された装飾タイルの断面図である。
【考案を実施するための形態】
【０００８】本考案に係る装着タイル１０は、図１に示すように、タイルＴの裏面、又は裏面及び側面に、ボルト又はシャフト１の付いたプレート２を、接着材３で接着、又はプレート２の曲げ加工等によりタイルＴと分離しないように取り付ける。図２に示すように、装着対象物２０に設けた貫通穴へ、装着タイル１０のボルト又はシャフト１を差し込み、留め具５を使い、装着タイル１０と装着対象物２０が外れないように固定する。プレート２の材質は、ボルト又はシャフト１の取り付け、及び曲げ加工、並びに穴加工が容易な鉄、ステンレス、アルミ等金属又はプラスチック又は木材等が望ましい。装着対象物２０については、穴加工が可能な材質である金属、プラスチック、木材等が望ましい。また、装着タイル１０を装着対象物２０から取り外し、位置変更等を行う時、装着タイル１０と装着対象物２０の擦れ合った時に生じる傷により、装着対象物２０及びタイルＴの外観面を損なうことがある場合等には、装着タイル１０に緩衝材４を取り付け、外観面を保護することが望ましい。
【符号の説明】
【０００９】  １    ボルト、又はシャフト
２    プレート
３    接着剤
４    緩衝材
５    留め具
１０    装着タイル
２０    装着対象物
Ｔ    タイル
【図１】
0003193737.tif 000003
【図２】
0003193737.tif 000004
【手続補正書】
【提出日】平成26年6月25日(2014.6.25)
【手続補正１】
【補正対象書類名】実用新案登録請求の範囲
【補正対象項目名】全文
【補正方法】変更
【補正の内容】
【実用新案登録請求の範囲】
【請求項１】
装飾タイル裏面に、ボルト又はシャフトの付いたプレート部品を接着、又は分離しないように取り付け、屋内装飾及び屋外装飾、並びに宣伝、広告等の表示物に関する装着対象物に設けた単数又は複数の貫通穴へ、当該装飾タイル裏面にある単数又は複数のボルト又はシャフトを差し込み、ナット等留め具で固定する、装飾タイル装着システム。
【請求項２】
前項の装飾タイル装着システムにおいて、装飾タイルに接着された、又は分離しないように取り付けられたプレート部品のボルト又はシャフトが突き出ている面、及び装飾タイル側面に、緩衝材を備えることを特徴とする請求項１記載の装飾タイル装着システム。
【手続補正２】
【補正対象書類名】明細書
【補正対象項目名】０００５
【補正方法】変更
【補正の内容】
【０００５】そこで、ボルト又はシャフトの付いたプレート部品を装飾タイルの裏面に接着し、又は分離しないように取り付け、装着対象物に設けた単数又は複数の貫通穴へ、当該装飾タイル裏面にある単数又は複数のボルト又はシャフトを差し込み、螺子止め等によって固定することが出来るシステムを考案した。
(57)【要約】      （修正有）【課題】基礎工事で生コンクリート打設時のレベル測定作業を自動化する自動レベル調整装置を提供する。【解決手段】水平にレーザー光線を照射する装置と前記レーザー光線の受光部とドライバーに接続されたモーターを備えた装置とからなるコンクリート打設時の自動レベル調整装置であって、前記受光部のセンサーが前記レーザー光線を感知して、前記ドライバーが上下し、上昇時に水準点を検出したのち上昇し、前記モーターをストップして自動で下降制御に移行し下降レベルが合えば制御終了することを特徴とする。【選択図】図１
0003193735.tif 000002
【実用新案登録請求の範囲】
【請求項１】
コンクリート打設時の自動レベル調整装置。下降時のレベル基準とし上昇時に水準点を検出したのち上昇しモーターをストップして自動で下降制御に移行し下降レベルが合えば制御終了する。
【考案の詳細な説明】
【技術分野】
【０００１】  本考案は、住宅その他土木基礎工事で鋼製型枠及び木製型枠を使用し、生コンクリートの打設工事の水平レベルを自動化する装置である。
【背景技術】
【０００２】  打設工事のレベル測定は道糸張るなど人力が一般的である。
【考案が解決しようとする課題】
【０００３】  住宅その他土木基礎工事で鋼製型枠及び木製型枠を使用し生コンクリートを打設工事の水平レベルは、水準器、道糸を張るなどして水平を出していたが精度に誤差が生じ人力のため時間を要していた。
【課題を解決するための手段】
【０００４】  本考案は道糸等でなくレーザー光線を用い受光部のセンサーがレベルを感知し基準点に用いられるネジを受光部連動のモーターにてネジを上下しレベルを自動化する。。
【考案の効果】
【０００５】  本考案により、レーザー光を用いる為従来の方式より精度が増す。
【図面の簡単な説明】
【０００６】
【図１】  前面図
【考案を実施するための形態】
【０００７】  本考案を図１の形態で使用する。
【図１】
0003193735.tif 000003
【手続補正書】
【提出日】平成26年4月10日(2014.4.10)
【手続補正１】
【補正対象書類名】実用新案登録請求の範囲
【補正対象項目名】全文
【補正方法】変更
【補正の内容】
【実用新案登録請求の範囲】
【請求項１】
コンクリート打設時の自動レベル調整装置。下降時のレベル基準とし上昇時に水準点を検出したのち上昇しモーターをストップして自動で下降制御に移行し下降レベルが合えば制御終了する。
水平にレーザー光線を照射する装置と前記レーザー光線の受光部とドライバーに接続されたモーターを備えた装置とからなるシステムであって、前記受光部のセンサーが前記レーザー光線を感知し、ドライバーが上下する前記システム。
【手続補正書】
【提出日】平成26年8月4日(2014.8.4)
【手続補正１】
【補正対象書類名】実用新案登録請求の範囲
【補正対象項目名】全文
【補正方法】変更
【補正の内容】
【実用新案登録請求の範囲】
【請求項１】
水平にレーザー光線を照射する装置と前記レーザー光線の受光部とドライバーに接続されたモーターを備えた装置とからなるコンクリート打設時の自動レベル調整装置であって、前記受光部のセンサーが前記レーザー光線を感知して、前記ドライバーが上下し、上昇時に水準点を検出したのち上昇し、前記モーターをストップして自動で下降制御に移行し下降レベルが合えば制御終了することを特徴とする、コンクリート打設時の自動レベル調整装置。
(57)【要約】      （修正有）【課題】満腹感を与えるダイエット用の健康食材や膨張剤に使用する、各種容器や袋に充填したモズクの粉末や粒剤を提供する。【解決手段】モズクの粉末を粒剤に加工するには、他の食材や食物性結晶セルローズ，蔗糖脂肪酸エステル，微粒２酸化珪素等と混合して粒材に加工するが、このモズクの粒剤に水分を加えると約２５倍に膨張する。モズクの粒剤を摂取すると胃や腸でどろどろに溶解し、胃や腸で膨張し満腹感を与える。【選択図】図１
0003193780.tif 000002
【実用新案登録請求の範囲】
【請求項１】
モズクを粉末や粒剤に加工し各種容器や袋に充填した事を特徴とする粉末や粒剤。
【請求項２】
醗酵したモズクを粉末や粒剤に加工し各種容器や袋に充填した事を特徴とする粉末や粒剤。
【考案の詳細な説明】
【技術分野】
【０００１】  本考案はモズクを健康ダイエットの用途に関するものである。
【背景技術】
【０００２】  海藻のモズクには食物繊維を豊富に含有しているが、その他ビタミン．ミネラル，カルシウム．鉄分．ヨウ素等を含有している。【０００３】  モズクのおよそ９０％は水分で、モズクを乾燥すると原藻の約２５分の１の重量に乾燥され、又乾燥したモズクに水分を加えると、原藻と同じ量の約２５倍に増える。【０００４】  モズクの食物繊維の成分には、抗菌作用等のあるフコイダンが他の海藻の昆布や若布等より５〜６倍多く含有している。【０００５】  モズクの粉末に含有しているフコイダンの含有量を財団法人日本食品分析センターに分析を依頼した結果、粉末１００グラム中フコイダンの成分に含有しているフコースは、２４．２グラム含有していると分析された。【０００６】  モズクの食物繊維に含有しているフコイダンを国立島根大学の研究によると、胃腸を丈夫にして免疫力を高める作用や、抗菌作用及び除菌作用がある事が発表されている。【０００７】  消費者はモズクを主に酢の物に料理して食べているが、その他の食材に使用する事はあまり考えられない海藻である。【０００９】  モズクを粉末に加工すると各種の食品に加工する事が出来、又モズクの粉末から粒剤に加工する事も出来る。【００１０】  考案者はモズクを醗酵させ、又はモズクを乾燥して粉末に加工すると、モズクが水分を吸収して約２５倍に膨張する。このモズクを他の食材と混合して粉末や粒剤に加工した製品を水分と一緒に摂取すると、胃や腸で約２５倍に膨張する事に着目し、人に満腹感を与えるダイエット用の健康食材や膨張剤に使用する事を考案した。
【先行技術文献】
【特許文献】
【００１１】
【特許文献１】平成１７年１１月７日特許第３７３５８３９号公報  乾燥モズクの製造方法  （平成２０年１１月特許失効）
【非特許文献】
【００１２】
【非特許文献１】財団法人日本食品分析センター分析試験成績書、平成１４年１２月２０日、第４０２１２０１１７−００１号
【非特許文献２】財団法人沖縄県環境科学分析センター分析試験成績書  平成１７年６月２１日第２００５‐Ｂ００９２１−０１号
【考案の概要】
【考案が解決しようとする課題】
【００１３】  モズクはこれまで食品以外の用途に利用する事は考えられなかったが、モズクを乾燥後粉末に加工して水分を加えると約２５倍に膨張する。このモズクの粉末を有効に活用する事が課題であった。【００１４】  モズクの粉末１００グラムには抗菌作用のあるフコイダンが６０〜７０グラム含有している。モズクの粉末を約６ミリの粒剤に加工すると、粒材１粒にフコイダンが約０．１グラム含有している。このフコイダンを活用する課題もあった。
【課題を解決する手段】
【００１５】  モズクの粉末を粒剤に加工するには、他の食材や食物性結晶セルローズ．蔗糖脂肪酸エステル．微粒２酸化珪素等と混合して粒材に加工するが、このモズクの粒剤に水分を加えると約２５倍に膨張する。モズクの粒剤を摂取すると胃や腸でどろどろに溶解し、胃や腸で膨張し満腹感を与える。
【００１６】  モズクの食物繊維には抗菌作用のあるフコイダンが豊富に含有しているが、モズクのフコイダンは胃や腸の腫痒や病原菌を除去して死滅させたりする作用がある。このモズクの粒材を摂取する事で胃や腸を丈夫にして免疫力を高める。
【考案の効果】
【００１７】  醗酵させたモズク及びモズクの粉末等を粒剤に加工し、これらの粒材を適量の水分と一緒に摂取すると、粒材が胃の中で水分を吸収して、どろどろに溶解し約２５倍に膨張する。このモズクの粉末や粒剤が胃の中で膨張するのを利用し、人に満腹感を与えるダイエット用の健康食材や膨張剤に活用する。又モズクの粉末や粒剤は人畜に全く無害であると同時に除菌作用や殺菌作用等の効果を発揮する。
【００１８】
【図面の簡単な説明】
【００１９】
【図１】図１は、醗酵したモズクを粉末に加工後粒材に加工する方法を示した図面代用写真である。（実施例１）
【図２】図２は、モズクの粒材を各種容器や袋に充填する方法を示した図面代用写真である。（実施例２）
【考案を実施する為の形態】
【００２０】醗酵したモズクや粉末を粒剤に加工後各種容器や袋等に充填し、消費者に提供する。
【実施例１】
【００２１】図１の実施例は、モズクを醗酵後粉末に加工して粒剤に加工する工程である。
図２の実施例は、醗酵したモズク等を粒剤に加工後各種容器や袋に充填する工程である。
【産業上の利用可能性】
【００２２】海藻のモズクは各種の有効成分を含有しているが、特にモズクの食物繊維には抗菌作用のあるフコイダンを多量に含有している。これまで消費者はモズクを酢の物料理の食材として利用してきたが、モズクを粉末や粒材に加工して水分と一緒に摂取すると約２５倍に膨張する。この膨張する作用を利用し、粒材が胃や腸で膨張して人に満腹感を与え、ダイエットの用の食材に活用する。【００２３】モズクには抗菌作用のあるフコイダンが他の海藻より多く含有している。このモズクのフコイダンには胃腸を丈夫にして免疫力を高める作用があり、モズクの粉末や粒剤を摂取する事により優れた効果を発揮する。
【符号の説明】
【００２４】図１の写真は、醗酵したモズクや粉末を粒剤に加工する。
図２の写真は、醗酵したモズク及び粉末等を粒剤に加工後各種容器や袋に充填する。
【図１】
0003193780.tif 000003
【図２】
0003193780.tif 000004
(57)【要約】      （修正有）【課題】地震による棚上の物品飛び出し落下を防止する棚上の物品飛び出し防止装置を提供する。【解決手段】防止装置本体４と防止バー１，２を用いる事で一形態とし、地震の揺れと棚の傾きで防止バー１，２が落下移動し瞬時に棚間に防止柵を設ける。【選択図】図５
0003193786.tif 000002
【実用新案登録請求の範囲】
【請求項１】
防止装置本体と防止バーを用いる事で一形態となる
防止装置本体に幅の異なる段差を設け防止バーには太さの異なるバーを用いることにより細いバーが下部に太いバーが上部に止まる事で防止柵となる
防止装置本体の形状と防止バー形状との組み合わせを特徴とする棚上の物品飛び出し防止装置
【考案の詳細な説明】
【技術分野】
【０００１】棚上の物品飛び出し防止装置であり防止装置本体と防止バーに関するものである
【背景技術】
【０００２】地震の多発するなか棚からの落下を防止する効果的な装置がない
電源。感知装置などに複雑さがある
再リセットが簡単でない
【先行技術文献】
【特許文献】
【０００３】
【特許文献１】  特許公開平８−３０８６９５
【特許文献２】  登録実用新案第３１７７２３１
【特許文献３】  特許公開平８−３１７８２４
【特許文献４】  特許公開２００９−５６２７４
【特許文献１】  特許公開平８−３０８６５６
【考案の概要】
【考案が解決しようとする課題】
【０００４】１  地震による棚上の物品飛び出し落下を防止する事を課題とする
２  電源。感知装置などの複雑さを省く事を課題とする
３  再リセットは簡単にを課題とする
【課題を解決するための手段】
【０００５】１  防止装置本体と防止バーを用いる事で一形態とし地震の揺れと棚の傾きで防止バーが落下移動し瞬時に棚間に防止柵を設ける事で解決手段とする
２  防止バーの作動源は地震の揺れと棚の傾きを利用ですることで解決手段する
３  元のセット位置に手動で簡単に防止バーを戻せる事で解決手段とする
【考案の効果】
【０００６】茨城県筑西市消防署の地震装置にて実験を実施した震度３にて防止バーが落下作動し物品の飛び出す前に防止柵となる事が判明出来た事でこの装置は落下防止の効果があることを確認した
【図面の簡単な説明】
【０００７】
【図１】  図１は下段の防止バーの正面図である
【図２】  図２は上段の防止バーの正面図である
【図３】  図３は防止装置本体の左右の斜視図である
【図４】  図４は防止装置本体と準備位置にセツトされた防止バー１と２の斜視図である
【図５】  図５は棚に取り付けた防止装置本体と準備位置にセツトされた防止バー斜視図である
【図６】  図６は棚に取り付けた防止装置本体と落下位置にセットされた防止バーの斜視図である
【図７】  図７は防止装置本体と準備位置にセツトされた防止バー１と２の側面図である
【図８】  図８は防止装置本体と防止位置に落下した防止バー１と２の側面図である
【考案を実施するための形態】
【０００８】防止装置本体と防止バーを用いる事で一形態となる
棚の側面左右に防止装置本体を取り付け準備位置５に細い防止バー１を前方に太い防止バー２を後方にセツトする
【実施例】
【０００９】地震の揺れと棚の傾きにより細いバー１が先に落下し停止位置７に止まる
続いて太いバー２が落下し停止位置６に止まる事で２段の防止柵となる
作動後の再セットは準備位置５に防止バーを戻すだけ
装置本体また防止バー共に形状材質を問わない
【符号の説明】
【００１０】  １  防止バー  細い  下段
２  防止バー  太い  上段
３  脱落防止リング
４  防止装置の本体
５  防止バー準備位置
６  防止バー上段停止位置
７  防止バー下段停止位置
８  防止装置の本体取り付け部
９  スプライン  「伸縮部  脱着部」
１０  棚本体
【図１】
0003193786.tif 000003
【図２】
0003193786.tif 000004
【図３】
0003193786.tif 000005
【図４】
0003193786.tif 000006
【図５】
0003193786.tif 000007
【図６】
0003193786.tif 000008
【図７】
0003193786.tif 000009
【図８】
0003193786.tif 000010
(57)【要約】      （修正有）【課題】普段はキーホルダーに取り付け携帯が可能であり、雨天時には傘の石突きにはめて使用でき、容易な構造で軽量な、夜間時に周囲に人の存在を知らしめる為の安全表示器を提供する。【解決手段】傘の石突きにはめると石突きのテーパ状部との接触部分がテーパ状に沿った環状となる本体７に、電源３とスイッチ４とＬＥＤ６またはＬＥＤと抵抗を備え、スイッチを入れる又は石突きにはめたり指にはめる又は石突きのテーパと同様のテーパを持つプラグを差し込むことによりスイッチが入り、ＬＥＤが点灯又は自動点滅する。本体をキーホルダーに取り付け可能な大きさと形状にした。【選択図】図３
0003193790.tif 000002
【実用新案登録請求の範囲】
【請求項１】
傘の石突きにはめると前記石突きのテーパ状部との接触部分がテーパ状に沿った環状となる本体に、電源とスイッチとＬＥＤまたはＬＥＤと抵抗を備え、スイッチを入れる又は石突きにはめたり指にはめる又は石突きのテーパと同様のテーパを持つプラグを差し込むことによりスイッチが入り、電源からスイッチを通りＬＥＤに電気が供給され、又は電源からスイッチを通り電流制限用抵抗を経由してＬＥＤに電気が供給され、前記ＬＥＤが点灯又は自動点滅する多用途夜間安全表示器。
【請求項２】
前記本体をキーホルダーにすること又はキーホルダーに取り付けること又はストラップと呼ばれる提げ紐に固定し、ランドセル等鞄にぶら下げたり容易に持ち歩くことを可能とした請求項１に記載の多用途夜間安全表示器。
【考案の詳細な説明】
【技術分野】
【０００１】  本考案は、夜間安全表示器に関するものである。
【背景技術】
【０００２】  安全表示器には、様々な考案がある。特許公開２００７−８９６２５「傘イルミネーションライト」は傘の石突きに取り付けたＬＥＤ装飾品を傘を開く度にスイッチが働きＬＥＤを点灯させる発明である。特許公開平１１−２７３４０２「夜間における交通弱者等の存在を告知する発光装置は肩に取り付けたＬＥＤを腰のベルトから電気を供給し発光させる発明である。登録実用新案第３０７６１３５号「発光（点滅）する傘は、石突きにＬＥＤを取り付け、手元にスイッチを取り付けた改造傘である。登録実用新案３０６８３６８号「傘の防水及びフラッシュライト警示装置」は石突きをセンサ付フラッシュライトに変更するものである。
【考案の概要】
【考案が解決しようとする課題】
【０００３】  特殊傘の発明や考案は自由にできるが、製造ラインに乗せ、販売・普及まで進めることは非常に難しい。従って、現在コンビニに販売されている傘に夜間の安全を確保することに役立つものはない。課題は、特殊傘を作ることではなく、一般の傘に容易に脱着可能な安全表示器である。しかも、小学生などが普段ランドセル等の鞄にぶら下げ持ち歩くことができ、夜間で傘を使わない時は鞄にぶら下げたまま動作させることが可能で、鞄がない状態で歩行するときには指に指したり、ぶら下げたりすることが可能で、傘を使うときは傘の石突きに取り付けて周囲へ存在を知らしめることができる多用途夜間安全表示器が課題となる。
【課題を解決するための手段】
【０００４】  キーホルダーとして携帯が可能で、夜間雨天歩行時には傘の石突きに刺して使用したり、夜間歩行時にはランドセル等の鞄にぶら下げて使用したり、夜間歩行時には指にはめて使用したりすることにより周囲に歩行者の存在を知らしめることができる多用途夜間安全表示器を提供する。
すなわち、本考案は以下の通りである。
１．傘の石突きにはめると前記石突きのテーパ状部との接触部分がテーパ状に沿った環状となる本体に、電源とスイッチとＬＥＤまたはＬＥＤと抵抗を備え、スイッチを入れる又は石突きにはめたり指にはめる又は石突きのテーパと同様のテーパを持つプラグを差し込むことによりスイッチが入り、電源からスイッチを通りＬＥＤに電気が供給され、又は電源からスイッチを通り電流制限用抵抗を経由してＬＥＤに電気が供給され、前記ＬＥＤが点灯又は自動点滅する多用途夜間安全表示器。
２．前記本体をキーホルダーにすること又はキーホルダーに取り付けること又はストラップと呼ばれる提げ紐に固定し、ランドセル等鞄にぶら下げたり容易に持ち歩くことを可能とした１．に記載の多用途夜間安全表示器。
【考案の効果】
【０００５】  本考案は、暗い場所を歩行する場合で周囲に自分の存在を知らしめることが必要な場合に大いに役立つ。スイッチを入れることにより複数のＬＥＤが点滅するため周囲に人の動きに気づかせることが可能となるからである。ランドセル等鞄にぶら下げて持ち歩くことができ、取り外して持ち歩くことができ、指にはめることができ、雨天時には傘の石突きにはめて動作させることが可能となる。特に、特殊傘ではなく百円台の廉価で販売されている傘にでも活用できる。
【図面の簡単な説明】
【０００６】
【図１】本体基本形状
【図２】回路例
【図３】本体に電池、スイッチ、ＬＥＤを取り付けた例
【図４】用途例
【考案を実施するための形態】
【０００７】  以下、本考案を実施形態に従って説明する。
図１に本体の基本形状を示す。傘の石突きのテーパ状となった部分にはめると、奥へ行くに従って径が大きくなる。本体は石突きの径の大きな部分で止まるよう環状になった内部もテーパ状の石突きに合わせた形状になっている。
図２に回路例を示す。電池ホルダからスイッチを経由しＬＥＤに、または電池ホルダからスイッチを経由し電流制限用抵抗を経由してＬＥＤに電気が供給される。ＬＥＤは複数本並列に接続する。一般の常時点灯も可能であるが、自動点滅ＬＥＤを使用することにより並列に接続したＬＥＤそれぞれが自動点滅を行う。
図３に本体に電池、スイッチ、ＬＥＤを取り付けた例を示す。スイッチはスライドスイッチを使用することもできるが、リミットスイッチにより石突きにはめたときにスイッチが働くようにすることができる。
図４に用途例を示す。多用途夜間安全表示器を夜間雨天時には傘の石突きにはめて使用する。夜間ランドセル等鞄につけ使用するときは、石突きと同形状のプラグを差し込むことによってスイッチを働かせ使用する。夜間歩行する場合は、指を差し込むことによってスイッチを動作させ使用する。
【０００８】  本考案は、夜間多用途に使用できる安全表示器である。キーホルダーに取り付けが可能で常時携帯することが可能なため、どのような状況でも活用が可能である。構成が簡単で安価となることが予想され、普及が期待できる。
【符号の説明】
【０００９】１  傘と石突き、２  本体基本形状、３  電源、４  スイッチ、５  電流制限用抵抗、６  ＬＥＤ、７  多用途夜間安全表示器、８  ランドセル、９  プラグ、１０  手（指）
【図１】
0003193790.tif 000003
【図２】
0003193790.tif 000004
【図３】
0003193790.tif 000005
【図４】
0003193790.tif 000006
(57)【要約】      （修正有）【課題】動力装置を使わず、そのわりには除菌材や芳香材などの機能を発揮させやすいコンパクトな身回り環境の改善具を提供する。【解決手段】十分な空隙性を有するスポンジ類１に除菌や芳香など回りの空気に快適性を付与する機能材２を含浸ないし塗着して、快適空間生成スポンジとする。また揺動可能状に吊り下げる吊着具３を上部に取り付けたり揺動可能状に湾曲するバネ類を取り付けてこれを室内や車内などに必要に応じ吸盤３ａ等を用いて設置できるようにする。【選択図】図１
0003193751.tif 000002
【実用新案登録請求の範囲】
【請求項１】
十分な空隙性を有するスポンジ類に除菌や芳香など回りの空気に快適性を付与する機能材を含浸ないし塗着して成る快適空間生成スポンジ。
【請求項２】
揺動可能状に吊り下げる吊着具を上部に取り付けた請求項１記載の快適空間生成スポンジ。
【請求項３】
揺動可能状に湾曲するバネ類を取り付けた請求項１記載の快適空間生成スポンジ。
【考案の詳細な説明】
【技術分野】
【０００１】この考案は、室内や車内など身の回り空間の空気を快適にするコンパクトな快適空間生成具に関する。
【背景技術】
【０００２】室内や車内など身の回り空間（空気）を快適にする手段としては、除菌、防塵、脱臭、或いは芳香付与などがあり、そのためには様々な抗菌性、脱臭性、或いは芳香付与などの機能を有する物質（本願では機能材と称する）を容器に収めて解放し、或いは散布ないし噴霧し、或いは空調機や空気清浄器など機械装置を稼働させるなどの方法がとられているのは周知の通りである。
【考案の開示】
【考案が解決しようとする課題】
【０００３】このような現状の除菌・脱臭・芳香具等は、いずれもコンパクトなものは所定の場所に設置したまま空気に対する動きがないため効果を発揮しにくく、また積極的に効果を与えるためには動力装置を必要とするなどの問題点があった。本考案はこのような動力装置を使わず、そのわりには除菌材や芳香材などの機能を発揮させやすいコンパクトな身回り環境の改善具を提供することを課題とする。
【課題を解決するための手段】
【０００４】十分な空隙性を有するスポンジ類１に除菌や芳香など回りの空気に快適性を付与する機能材２を含浸ないし塗着して、本考案の快適空間生成スポンジとする。【０００５】ここで言う十分な空隙性とは、例えば連続気泡の高発泡スポンジのように空気に対する接触面積が甚大で、通常の取り扱いにおいて軽量な部類に属するもののそれを言うから、必ずしもスポンジでなくても、例えば立体網目状体でもよい。【０００６】快適性を付与する機能材２としては、光触媒作用により滅菌機能を発揮する酸化チタン、微細構造の莫大な表面積による吸着性から脱臭・除菌機能を発揮する活性炭、ゼオライト、ブラックシリカ等、及び除菌に加えて精神安定やアロマテラピー機能を発揮するフィトンチッド（森林浴成分）、ヒノキチオール、その他薔薇やラベンダー等の芳香材などが挙げられる。【０００７】このような機能材２は、これに接する空気に作用して効果を発揮するものであるから、それは空気に露出させるか、又はごく薄い透気性樹脂の皮膜を形成する程度のバインダーによる塗料として用いるのも良い。そのような水性エマルジョン型塗料も既に市販されているが、これはスポンジに対して塗装も浸漬も出来る。【０００８】このようにして機能材２を浸漬塗装された空隙の多い高発泡のスポンジ類１は、空気に対する接触面積が多大であるばかりでなく、甚だ軽量で動きを与えることが容易である。そこで揺動可能状に吊り下げる吊着具３を上部に取り付けたり揺動可能状に湾曲するバネ類を取り付けてこれを室内や車内などに必要に応じ吸盤３ａ等を用いて設置すると、振動などの外力で容易に揺れ動くから、空気との接触がより促進される。
【考案の効果】
【０００９】このように本考案によれば、身の回り環境の快適化をはかるために設置場所の制約を受けることが甚だ少なく、機能材も甚だ多数・多種類に渡って用いることができるとともに、空気との接触面積を大きくして動力装置を用いることなく動きを与えやすいから、甚だ簡便かつ低コストに室内や車両内などの空気環境を良好にすることができる。
【考案を実施するための最良の形態】
【００１０】酸化チタン微粉末を約２０Ｗ％含むインキ（塗料）を機能材２とし、これを適宜デザイン化された約１００立方ｃｍの連続気泡スポンジ１の表面に浸漬により積層し、乾燥後、用途に応じ吸盤３ａ付きの吊着具３を上部に取り付ける。これを密封状のフィルム袋内に収めて製品化する。【００１１】なお機能材２がゼオライトやブラックシリカのような吸着性に基づく機能材である場合は、その表面がバインダーで覆われないように、静電塗装方式で塗着するようにする。
【産業上の利用可能性】
【００１２】本考案の快適空間生成スポンジはニーズが多く、量産も容易であるから、産業上の利用可能性は十分にある。
【図面の簡単な説明】
【００１３】
【図１】本考案一例の見取図
【図２】本考案を概念的に示す拡大断面図
【符号の説明】
【００１４】  １……スポンジ類
２……機能材
３……吊着具
３ａ……吸着
【図１】
0003193751.tif 000003
【図２】
0003193751.tif 000004
【手続補正書】
【提出日】平成26年7月29日(2014.7.29)
【手続補正１】
【補正対象書類名】実用新案登録請求の範囲
【補正対象項目名】全文
【補正方法】変更
【補正の内容】
【実用新案登録請求の範囲】
【請求項１】
十分な空隙性を有するスポンジ類に除菌や芳香など回りの空気に快適性を付与する機能材を含浸ないし塗着して成り、揺動可能状に吊り下げる吊着具を上部に取り付けた快適空間生成スポンジ。
【請求項２】
十分な空隙性を有するスポンジ類に除菌や芳香など回りの空気に快適性を付与する機能材を含浸ないし塗着して成り、揺動可能状に湾曲するバネ類を取り付けた快適空間生成スポンジ。